(57)【要約】【課題】図柄表示装置を回転可能に支持する回転軸部に掛かる負荷を低減して耐久性向上を図る。【解決手段】液晶表示ディスプレイ５０と表示制御装置１６とを、回転コネクタ６０を介して電気的に接続する。そして、起立姿勢に保持される本体部２２の前側に、液晶表示ディスプレイ５０を支持した支持部材５１を配設する。支持部材５１には、後端部に回転コネクタ６０が臨む回転軸部５２を後方へ向けて延在するよう形成し、本体部に設けたベアリング３５,３６で回転軸部５２を支持することにより、ステッピングモータにより液晶表示ディスプレイ５０と支持部材５１とを一体的に回転し得るよう構成する。そして、本体部２２における前記回転軸部５２の少なくとも下方位置に、支持部材５１の背面に接触可能な転動部材３０を設け、前記支持部材５１が描く回転軌跡の接線方向に転動部材３０が回転し得るよう構成した。【選択図】図４
2007330485.tif 000002
【特許請求の範囲】
【請求項１】
図柄表示装置と制御装置とを、回転コネクタを介して電気的に接続した遊技機において、
起立姿勢に保持される本体部と、
前記本体部の前側に配置されて前記図柄表示装置を支持し、駆動手段により図柄表示装置と一体的に回転される支持部材と、
前記支持部材に形成されて後方へ向けて延在し、後端部に前記回転コネクタが臨む回転軸部と、
前記回転軸部を回転可能に支持する軸受け部材と、
前記本体部における前記回転軸部の少なくとも下方位置に、前記支持部材の背面に接触可能な状態で配設され、前記支持部材が描く回転軌跡の接線方向に回転し得る転動部材とを備える
ことを特徴とする遊技機。
【請求項２】
前記転動部材は、少なくとも前記支持部材の回転時に該支持部材の背面に接触し得るよう設けられて、該支持部材の接触により転動部材が回転するよう構成される請求項１記載の遊技機。
【請求項３】
前記回転軸部を中心とする周方向に等間隔に位置するよう前記転動部材を複数設けた請求項１または２記載の遊技機。
【請求項４】
前記転動部材は、円筒状に形成されて、前記支持部材との接触部位に弾性部材が設けられている請求項１〜３の何れか１項に記載の遊技機。
【発明の詳細な説明】
【技術分野】
【０００１】
本発明は、遊技機に関し、更に詳細には、回転自在に設けられた図柄表示装置と、該図柄表示装置を電気的に制御する制御装置とを、回転コネクタを介して電気的に接続するよう構成された遊技機に関するものである。
【背景技術】
【０００２】
代表的な遊技機であるパチンコ機は、遊技盤に画成した遊技領域の略中央位置に装飾部材が設けられ、該装飾部材に形成した開口から各種図柄を変動および停止表示可能な液晶式やドラム式等の図柄表示装置が前方に臨むよう配設されている。そして、前記図柄表示装置を表示制御装置に配線を介して電気的に接続し、該表示制御装置からの制御信号に基づいて図柄表示装置の図柄を変動および停止表示して図柄変動ゲームを行なうよう構成される。更に、近年では、前記図柄表示装置で図柄変動ゲームを行なうだけでなく、該図柄表示装置自体を回転等させて、遊技の興趣をより増大させるようにしたパチンコ機も提案されている。例えば、特許文献１には、ブラシを設けた第１コネクタ部と、第１コネクタ部に対して相対的に回転可能で、ブラシが接触する環状接触部を設けた第２コネクタ部とを備える回転コネクタを設け、一方のコネクタ部には図柄表示装置からの信号線を接続すると共に、他方のコネクタ部には制御装置からの信号線を接続するよう構成した遊技機が開示されている。すなわち、図柄表示装置の回転に伴って回転コネクタの第１および第２コネクタ部が相対的に回転することで、図柄表示装置と制御装置とを接続する信号線が捻れるのを防止している。
【特許文献１】特開２００６−６６４５号公報
【発明の開示】
【発明が解決しようとする課題】
【０００３】
ところで、前記図柄表示装置は、前記遊技盤に対して回転可能に設けた支持部材に、表示面が盤面と略平行となるよう取り付けられ、該支持部材から遊技盤の裏側に延在させた回転軸部を軸受け部材で支持するよう構成される。ここで、遊技盤を配設したパチンコ機は、若干の後傾姿勢(すなわち図柄表示装置の表示面が上側を向く姿勢)で遊技場に設置されるため、前記回転軸部は図柄表示装置からみて下方傾斜している。このため、図柄表示装置の自重や、回転時に作用する遠心力等により、図柄表示装置(支持部材)における回転軸部より下方に位置する部位が本体部側に近接するよう傾斜するため、回転軸部や軸受け部材に掛かる負荷が増大して、回転軸部の摩耗等の損傷を来たすおそれがある。殊に、回転軸部と軸受け部材との間には、回転軸部の回転を許容する隙間を設ける必要があることから、この隙間に起因して図柄表示装置の回転時にブレが発生し、これにより回転軸部に掛かる負荷がより一層増大したり、図柄表示装置と支持部材とが接触して損傷することも考えられる。
そこで、本発明は、図柄表示装置を回転可能に支持する回転軸部に掛かる負荷を低減して耐久性向上を図り得る遊技機を提供することを目的とする。
【課題を解決するための手段】
【０００４】
前記課題を克服し、所期の目的を達成するため、本願の請求項１に係る発明は、
図柄表示装置(50)と制御装置(16)とを、回転コネクタ(60)を介して電気的に接続した遊技機において、
起立姿勢に保持される本体部(22)と、
前記本体部(22)の前側に配置されて前記図柄表示装置(50)を支持し、駆動手段(38)により図柄表示装置(50)と一体的に回転される支持部材(51)と、
前記支持部材(51)に形成されて後方へ向けて延在し、後端部に前記回転コネクタ(60)が臨む回転軸部(52)と、
前記回転軸部(52)を回転可能に支持する軸受け部材(35,36)と、
前記本体部(22)における前記回転軸部(52)の少なくとも下方位置に、前記支持部材(51)の背面(51a)に接触可能な状態で配設され、前記支持部材(51)が描く回転軌跡の接線方向に回転し得る転動部材(30)とを備えることを要旨とする。
【０００５】
このように、支持部材を回転可能に支持する本体部に転動部材を設け、支持部材を転動部材で支持するよう構成することで、図柄表示装置(支持部材)が本体部側に近接するよう傾斜する場合であっても回転軸部や軸受け部材に掛かる負荷の軽減を図り得る。また、支持部材が描く回転軌跡の接線方向に回転し得るよう前記転動部材を設けることで、転動部材で支持部材を支持した状態であっても、該支持部材(図柄表示装置)の回転を阻害することはない。また、図柄表示装置(支持部材)が傾斜した場合には、図柄表示装置(支持部材)の下方が本体部に近接して接触するから、前記転動部材を回転軸部より下方に位置するよう配設することで、支持部材を転動部材で確実に支持することができる。
【０００６】
請求項２に係る発明は、前記転動部材(30)は、少なくとも前記支持部材(51)の回転時に該支持部材(51)の背面(51a)に接触し得るよう設けられて、該支持部材(51)の接触により転動部材(30)が回転するよう構成されることを要旨とする。
【０００７】
すなわち、前記転動部材が前記支持部材の背面に常に接触して、該支持部材の回転に伴って転動部材が回転するよう構成した場合には、支持部材を転動部材で確実に支持できるから、回転軸部や軸受け部材に掛かる負荷を効果的に軽減することができる。
【０００８】
また、前記支持部材の停止時には支持部材の背面から離間し、支持部材の回転時に接触するよう前記転動部材を設けた場合には、回転軸部と軸受け部材との位置関係が適正な状態では転動部材に支持部材が接触しないから、支持部材の回転に不要な抵抗が発生せず、支持部材をスムーズに回転させることができる。一方、回転時に支持部材が傾斜した状態では、転動部材が支持部材に接触して支持部材を支持するから、回転軸部や軸受け部材に掛かる負荷を軽減し得ると共に、支持部材の回転に合わせて転動部材も回転することで、支持部材の回転を阻害することはない。
【０００９】
請求項３に係る発明は、前記回転軸部(52)を中心とする周方向に等間隔に位置するよう前記転動部材(30)を複数設けたことを要旨とする。
【００１０】
このように、前記回転軸部を中心に等間隔に位置するよう転動部材を複数設けることで、回転時に支持部材にブレが生じた場合でも転動部材で確実に支持することができる。
【００１１】
請求項４に係る発明は、前記転動部材(30)は、円筒状に形成されて、前記支持部材(51)との接触部位に弾性部材(33)が設けられていることを要旨とする。
【００１２】
このように、支持部材との接触部位に弾性部材を設けるよう転動部材を形成することで、転動部材に接触した支持部材を傷つけるのを防止できる。
【発明の効果】
【００１３】
本発明によれば、図柄表示装置を配設した支持部材を転動部材で支持できるから、図柄表示装置を回転可能に支持する回転軸部に掛かる負荷を低減して耐久性向上を図り得る。
【発明を実施するための最良の形態】
【００１４】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機の遊技盤を正面側(遊技者側)から視た状態で指称する。
【実施例】
【００１５】
実施例に係る遊技盤１０は、図１に示すように、略円形状に湾曲形成したレール１０ａにより画成された遊技領域１０ｂ内に、各種図柄による図柄変動ゲームを行なう回転式表示装置２０や、パチンコ球の入賞により回転式表示装置２０において図柄変動ゲームを行なわせる始動入賞装置１１、所謂大当り遊技の発生時にパチンコ球が入賞可能で、パチンコ球の入賞により所定数のパチンコ球を賞球として払い出させる特別入賞装置１２、その他照明装置１３等の多数の遊技部品が設けられている。そして、パチンコ機(図示せず)の裏側に配設された各種制御装置１４,１５,１６,１７,１８,１９の制御に基づいて、前記回転式表示装置２０等の遊技部品を動作することで、所要の遊技が行なわれるようになっている。ここで、実施例では、前記制御装置として、図２に示すように、パチンコ機全体を制御する主制御装置１４や、該主制御装置１４に接続される統括制御装置１５、前記回転式表示装置２０での表示制御を行なう表示制御装置１６、回転式表示装置２０の回転制御を行なう駆動制御装置１７、照明装置１３を制御するランプ制御装置１８、スピーカ７５(図２参照)を制御する音制御装置１９、その他各種制御装置(図示せず)を設けてある。
【００１６】
また、実施例では、図２に示すように、前記表示制御装置１６、駆動制御装置１７、ランプ制御装置１８および音制御装置１９の夫々は、前記統括制御装置１５に接続されて、前記主制御装置１４からの制御信号を統括制御装置１５で一旦処理した後に、これら表示制御装置１６、駆動制御装置１７、ランプ制御装置１８および音制御装置１９に制御信号を送信するようになっている。すなわち、表示制御装置１６、駆動制御装置１７、ランプ制御装置１８および音制御装置１９の各制御装置に対して統括制御装置１５から同期的に制御信号を送信することで、回転式表示装置２０による演出、照明装置１３による発光演出、スピーカ７５による効果音演出を密接に関連付けた演出を可能としている。なお、前記始動入賞装置１１には、その内部に入賞検知スイッチ１１ａが設けられており、遊技盤１０の遊技領域１０ｂを流下するパチンコ球が始動入賞装置１１に入賞して入賞検知スイッチ１１ａが入賞検知した際に、入賞検知信号を前記主制御装置１４に送信するようになっている。すなわち、前記入賞検知スイッチ１１ａの入賞検知が、遊技演出を行なうための制御を前記主制御装置１４が開始する契機となる。
【００１７】
(回転式表示装置について)
前記回転式表示装置２０は、図３に示すように、前記遊技盤１０における遊技領域１１ｂの略中央位置に配設されて各種装飾部材が取り付けられる本体部２２と、該本体部２２の前側に配設されて前記表示制御装置１６の制御に基づいて各種図柄を表示する略矩形状の液晶表示ディスプレイ(図柄表示装置)５０と、本体部２２の前側に回転可能に配設されて液晶表示ディスプレイ５０を設置する支持部材５１と、該支持部材５１に連繋接続されて前記駆動制御装置１７の制御に基づいて駆動して液晶表示ディスプレイ５０および支持部材５１を回転させるステッピングモータ(駆動手段)３８と、前記表示制御装置１６と液晶表示ディスプレイ５０とを接続する回転コネクタ６０とを基本的に備えている。すなわち、前記回転式表示装置２０は、前記表示制御装置１６の制御に基づいて液晶表示ディスプレイ５０に表示される表示演出と、前記駆動制御装置１７の制御に基づいてステッピングモータ３８を駆動することにより液晶表示ディスプレイ５０が回転する動作演出とを行ない得るようになっている。なお、実施例に係るステッピングモータ３８は、２５２ステップで１回転するよう設定されて、駆動制御装置１７から送信される制御信号(パルス信号)に基づいて１ステップずつ回転するようになっている。
【００１８】
(本体部について)
前記本体部２２は、図３または図５に示すように、略円形板状に形成されており、その前面側に、前方へ延出する立上がり壁２２ａを形成して、上方を切り欠いた略円環形を呈するようになっている。そして、前記立上がり壁２２ａの内側に画成される円形開口領域２２ｂに前記支持部材５１を設置するようになっている。なお、前記本体部２２の下端部および左右端部には、前記立上がり壁２２ａの連設部位に前後に開口する第１放熱孔２２ｃを複数箇所に開設してある。
【００１９】
また、図３または図５に示すように、前記本体部２２における円形開口領域２２ｂの内側には、該円形開口領域２２ｂの周方向(すなわち液晶表示ディスプレイ５０の回転方向)に離間する４箇所に、前記支持部材５１の姿勢を検出する位置検出センサ２５,２６,２７,２８が取り付けられている。なお、実施例では、前記各位置検出センサ２５,２６,２７,２８として、光を出す発光素子を設けた発光片２９ａと、該発光素子からの光を受けて信号を出す受光素子を設けた受光片２９ｂとを対向させて(図６参照)、該発光片２９ａと受光片２９ｂとの間の空間を後述する位置検出片５６が通過した際における受光素子の受光量の変化を検出する光学式センサを採用している。
【００２０】
ここで、図５に示すように、前記位置検出センサ２５,２６,２７,２８は、仮想円上の上下端部および左右端部に配置されている。なお、以下の説明において、上側にあるセンサを第１位置検出センサ２５と指称し、該第１位置検出センサ２５から時計回りに順に第２位置検出センサ２６、第３位置検出センサ２７、第４位置検出センサ２８と指称するものとする。すなわち、第１〜第４位置検出センサ２５,２６,２７,２８は、９０度ずつ回転変位する位置に設けられている。
【００２１】
(転動部材について)
また、図３、図５または図６に示すように、前記本体部２２における前記各位置検出センサ２５,２６,２７,２８より外側には、前記円形開口領域２２ｂの中心位置を中心とする仮想円の円周上で周方向に離間する３箇所に転動部材３０が取り付けられており、各転動部材３０が前記支持部材５１の背面５１ａに当接して支持するよう構成されている。なお、３つの転動部材３０は、周方向に１２０度ずつ回転変位する位置に設けられと共に、その１つを第１位置検出センサ２５の直上方に配置して、残りの２つを支持部材５１の後述する回転軸部５２の下方に位置するようにしてある。
【００２２】
前記各転動部材３０は、図６に示すように、円筒状のローラ部３１と、該ローラ部３１の挿通孔３１ａに挿入固定される支軸３２と、ローラ部３１の外周面に取り付けられる弾性リング(弾性部材)３３とから構成されて、該支軸３２を本体部２２に凹設した支持凹部２４に挿入した状態で、カバー部材３４で覆うことにより、支軸３２を中心として回転し得るよう構成されている。ここで、前記転動部材３０は、前記支軸３２が前記円形開口領域２２ｂの中心位置へ指向する姿勢で設置され、転動部材３０の回転方向が支持部材５１の回転軌跡の接線方向を指向するようになっている。また、前記ローラ部３１の外周面には、該ローラ部３１の軸方向の略中央位置に環状の溝部３１ｂが形成されており、該環状の溝部３１ｂに前記弾性リング３３を嵌合するよう構成される。なお、前記弾性リング３３は、前記ローラ部３１の外周面より外方に突出するよう寸法設定されて、該弾性リング３３が前記支持部材５１の背面５１ａに当接するようになっている。
【００２３】
(筒状部について)
前記本体部２２の背面には、図４に示すように、前記円形開口領域２２ｂの中心位置に、後方へ延在する円筒状の筒状部２３が形成されて、該円形開口領域２２ｂに臨ませた前記支持部材５１の回転軸部５２(後述)が挿入される(図４参照)。また、前記筒状部２３の前方開口端部および後方開口端部の夫々には、回転軸部５２を支持する第１および第２ベアリング(軸受け部材)３５,３６が同軸上に挿入されており、両ベアリング３５,３６で回転軸部５２を回転可能に支持する。ここで、前記筒状部２３の内周面には、内方(中心方向)へ突出する位置規制片２３ａが複数箇所(実施例では筒状部２３の周方向に離間する４箇所)に突設されており、筒状部２３の前方開口端部に挿入した第１ベアリング３５の後方位置を位置規制片２３ａで位置決めすると共に、筒状部２３の後方開口端部に挿入した第２ベアリング３６の前方位置を位置規制片２３ａで位置決めしている。また、図４に示すように、前記筒状部２３の前方開口には、前記第１ベアリング３５の前端部に当接するベアリングホルダ３７が取り付けられており、第１ベアリング３５の前方位置をベアリングホルダ３７で位置決めしている。一方、前記第２ベアリング３６は、前記保護ケース４６を筒状部２３の後端部に固定した際に、該第２ベアリング３６の後端部に保護ケース４６が当接して、第２ベアリング３６の後方位置を位置決めするようになっている。
【００２４】
また、前記本体部２２の背面には、回転軸を後方へ指向させた姿勢で前記ステッピングモータ３８が配設されて、該ステッピングモータ３８の回転軸に駆動ギア３９が取り付けられている(図３参照)。なお、前記ステッピングモータ３８は、金属製のベース板４０を介して前記本体部２２に固定されると共に、前記筒状部２３側に開口するモータカバー４１で覆われており、ステッピングモータ３８の回転時に各種配線が駆動ギア３９に巻き込まれるのを防止している。また、前記本体部２２の背面には、前記駆動制御装置１７や中継基板４４等を取り付ける設置部材４３,４３が配設されている。
【００２５】
(保護ケースについて)
図４に示すように、前記筒状部２３の後端部には、前記回転コネクタ６０および後述する従動ギア(回転連繋部材)５３を収容保護する保護ケース４６が着脱可能に取り付けられる。ここで、前記保護ケース４６は、図３、図４、図７または図８に示すように、前記筒状部２３の後端部に固体される第１の保護部材４７と、該第１の保護部材４７に取り付けられる第２の保護部材４８とから構成されて、該第１および第２の保護部材４７,４８の間に、従動ギア５３と回転コネクタ６０とを夫々収容するようになっている。前記第１の保護部材４７は、後方へ開口する皿状に形成されると共に、前記筒状部２３の後方開口に略整合する開口部４７ａが開設されており、該開口部４７ａを介して前記第２ベアリング３６の内輪(図示せず)が第１の保護部材４７の内側に露出し、この内輪に保護ケース４６内に収容した従動ギア５３が接触し得るようになっている。また、前記第１の保護部材４７の外壁部には、周方向へ離間する３箇所に、外方へ突出するフランジ４７ｂ,４７ｂ,４７ｂが形成されており(図７または図８参照。但し、図７および図８には２箇所のフランジ４７ｂのみ図示)、該フランジ４７ｂ,４７ｂ,４７ｂに、後方へ突出するボス(固定部)４７ｃ,４７ｃ,４７ｃが突設されている。なお、前記第１の保護部材４７の外壁部には、保護ケース４６内に開口する切欠部４７ｄが形成されており、該切欠部４７ｄを介して前記駆動ギア３９が第１の保護部材４７の内側に臨んで、保護ケース４６に収容された従動ギア５３に駆動ギア３９が歯合し得るようになっている。
【００２６】
前記第２の保護部材４８は、図８に示すように、前記第１の保護部材４７に前後に略整合する平板状に形成されて、前記３箇所のボス４７ｃ,４７ｃ,４７ｃと前後に対応する位置に形成したフランジ４８ａ,４８ａ,４８ａに前後に貫通する通孔(固定部)４８ｂ,４８ｂ,４８ｂを穿設してある。そして、各通孔４８ｂの後方から挿通したネジ(固定手段)７６を対応するボス４７ｃに夫々螺挿することで、両保護部材４７,４８を固定するようになっている。なお、前記第２の保護部材４８を第１の保護部材４７に固定した際に、該第２の保護部材４８が前記モータカバー４１に隣接して、前記駆動ギア３９および従動ギア５３が露出しないよう構成されており、各種配線が駆動ギア３９および従動ギア５３に巻き込まれるのを防止している。
【００２７】
(支持部材について)
図３に示すように、前記支持部材５１は、前記円形開口領域２２ｂに略整合する円盤状に形成されており、その中心位置に後方へ設けた回転軸部５２の後端部に、前記駆動ギア３９と歯合する従動ギア５３が取り付けられる(図９参照)。すなわち、前記ステッピングモータ３８の駆動により駆動ギア３９を回転した際に、前記従動ギア５３が回転し、これに伴って前記回転軸部５２を中心として前記支持部材５１を回転することで、該支持部材５１と一体的に液晶表示ディスプレイ５０が回転するよう構成される。なお、前記従動ギア５３は、前記回転軸部５２を前記筒状部２３に挿入した状態で、該回転軸部５２の後端部に取り付けられて、前記保護ケース４６内に収容される。そして、前記従動ギア５３の直径は、前記筒状部２３の内径より大きく設定されて、回転軸部５２が筒状部２３から脱落しないよう構成される。また、前記従動ギア５３は、前記第１の保護部材４７の通孔４７ａを介して前記第２ベアリング３６の内輪体に当接するよう構成されており、従動ギア５３が前後へ移動した際に第２ベアリング３６に接触しても回転抵抗が増大しないようになっている。
【００２８】
ここで、実施例では、前記ステッピングモータ３８に取り付けられる駆動ギア３９と、前記回転軸部５２に取り付けられる従動ギア５３とのギア比は、駆動ギア：従動ギア＝１：２となるよう設定してある。すなわち、前述したように、前記ステッピングモータ３８を２５２ステップで１回転するよう設定されていることから、ステッピングモータ３８(すなわち駆動ギア３９)が１ステップ回転する毎に、前記従動ギア５３は０．７１度ずつ回転する。換言すると、前記ステッピングモータ３８を１ステップ回転させる毎に、従動ギア５３が固定されている支持部材５１および支持部材５１に固定された液晶表示ディスプレイ５０の夫々が同様に０．７１度ずつ回転する。
【００２９】
図９または図１１〜図１５に示すように、前記従動ギア５３の背面５３ａ(回転コネクタ６０との対向面)には、従動ギア５３の回転方向(回転コネクタ６０の回転方向)に離間する一対の作用壁部(第１作用部)５４,５５が、回転中心を中心として周方向に１８０度離間する２箇所に形成されており、各一対の作用壁部５４,５５の間に、前記回転コネクタ６０の後述する作用突部(第２作用部)７０が夫々臨むようになっている。なお、一対の作用壁部５４,５５と作用突部７０との関係については後述する(段落番号［００３７］参照)。なお、以下の説明において、前記一対の作用壁部５４,５５の内、図１１における右回り方向に離間する作用壁部を第１作用壁部５４と指称し、左回り方向に離間する作用壁部を第２作用壁部５５と指称する場合もある。
【００３０】
前記回転軸部５２には、図４または図９に示すように、前後方向へ開口する配線孔５２ａが形成されると共に、前記従動ギア５３には、前記回転軸部５２の後方開口に整合する通孔(通孔)５３ｂが形成されている。そして、前記液晶表示ディスプレイ５０に接続した配線(以下、信号線７７という)が、この回転軸部５２の配線孔５２ａおよび従動ギア５３の通孔５３ａに挿通されて、従動ギア５３の背面５３ａ側(回転コネクタ６０側)へ延在するようになっている。このように、前記液晶表示ディスプレイ５０に接続した信号線７７が、回転中心となる回転軸部５２を通ることで、液晶表示ディスプレイ５０(支持部材５１)の回転による信号線７７の捻れを最小限に抑制している。
【００３１】
前記支持部材５１の背面５１ａには、図９に示すように、前記回転軸部５２を中心とする環状に位置検出片５６が突設されており、支持部材５１を本体部２２で枢支した際に、本体部２２に設けた前記第１〜第４位置検出センサ２５,２６,２７,２８における各発光片２９ａと受光片２９ｂとの間に位置検出片５６が臨むよう構成されている。また、前記位置検出片５６には切欠部５６ａが形成されており、前記支持部材５１(液晶表示ディスプレイ５０)の回転により、切欠部５６ａが受光片２９ａと発光片２９ｂとの間に移動して受光素子の受光量が変化することで、対応の位置検出センサ２５,２６,２７,２８が検出するようになっている。なお、実施例では、前記第１位置検出センサ２５で前記位置検出片５６の切欠部５６ａを検出することで、矩形状に形成された前記液晶表示ディスプレイ５０の長辺が略水平方向へ延在する基準位置(図１または図１６参照)にあることが検出されるよう設定してある。
【００３２】
また、前記支持部材５１の背面５１ａ側には、上端部、下端部および左右端部に、第２放熱孔５７が複数箇所に形成されている。そして、前記液晶表示ディスプレイ５０を基準位置に保持した際に、前記本体部２２の下端部および左右端部に形成した前記第１放熱孔２２ｃ,２２ｃ,２２ｃと、前記支持部材５１の下端部および左右端部に形成した第２放熱孔５７,５７,５７とが前後に整列するようになっている。すなわち、液晶表示ディスプレイ５０が発する熱を本体部２２の裏側(遊技盤１０の裏側)に放出し得るようになっている。なお、前記支持部材５１の上端部に位置する第２放熱孔５７は、前記本体部２２の立上がり壁２２ａより上方に位置して、液晶表示ディスプレイ５０が発する熱を本体部２２の裏側に直接放出するようになっている。
【００３３】
(回転コネクタについて)
前記回転コネクタ６０は、図３、図４、図８または図１０に示すように、前記保護ケース４６に固定される固定側コネクタ部６１と、該固定側コネクタ部６１に対して回転可能に設けられる回転側コネクタ部６８と、第１の保護部材４７および第２の保護部材４８の間に介在されて回転コネクタ６０を両保護部材４７,４８から離間する状態で保持する第１の緩衝部材６６,６６,６６とからなり、固定側コネクタ部６１に前記表示制御装置１６からの配線(以下、信号線７８という)が接続され、回転側コネクタ部６８に液晶表示ディスプレイ５０からの信号線７７が接続される。そして、前記固定側コネクタ部６１における前記回転側コネクタ部６８との対向面に、同心円状の複数の環状接触部(図示せず)が設けられると共に、回転側コネクタ部６８における固定側コネクタ部６１との対向面に、各環状接触部に対応して接触するブラシ(図示せず)が設けられており、回転側コネクタ部６８の回転時にブラシが環状接触部上を摺動することで、液晶表示ディスプレイ５０と表示制御装置１６との接点を維持するようになっている。
【００３４】
(固定側コネクタ部について)
図８または図１０に示すように、前記固定側コネクタ部６１は、略逆三角形をなす平板状に形成されて、その前面に略円環形に立ち上がるよう形成した支持壁６１ａの内側に、前記環状接触部が設けられている。また、前記固定側コネクタ部６１の各角部には、湾曲する一対の取付片部６２,６２が形成されており、該一対の取付片部６２,６２により前記第１の緩衝部材６６を着脱可能に取付け得る取付孔６３が画成される。なお、前記各取付孔６３は、前記第１の保護部材４７の各ボス４７ｃおよび第２の保護部材４８の各通孔４８ｂの夫々と前後に整列する位置に設けられている。また、前記取付片部６２,６２における取付孔６３の内周側には、取付孔６３の内方へ突出する突状部６２ａが形成されている。
【００３５】
ここで、前記  第１の緩衝部材６６は、シリコンゴム等の弾性部材により前後方向に延在する貫通孔６６ａが形成された円筒状に形成されると共に、外周面における軸方向の略中央位置には、前記取付片部６２,６２の突状部６２ａと嵌合可能な環状凹部６６ｂが形成されている(図１０参照)。すなわち、前記取付孔６３に第１の緩衝部材６６を取り付けた際に、前記突状部６２ａと環状凹部６６ｂとが嵌合し、取付孔６３の所定位置に第１の緩衝部材６６を保持するようになっている。なお、前記第１の緩衝部材６６は、前記取付孔６３に取り付けた状態において、前記固定側コネクタ部６１の表面６１ｂおよび背面６１ｃから突出するよう形成してある。
【００３６】
すなわち、前記固定側コネクタ部６１の各取付孔６３に取り付けた第１の緩衝部材６６の貫通孔６６ａに、前記第１の保護部材４７に形成した各ボス４７ｃを挿通させ、この状態で前記第２の保護部材４８に形成した通孔４８ｂの後方からネジを夫々螺挿することで、両保護部材４７,４８の間に固定側コネクタ部６１が取り付けられる。このとき、前記固定側コネクタ部６１の表面６１ｂおよび背面６１ｃから突出する前記第１の緩衝部材６６を、前記第１および第２の保護部材４７,４８で挟持して、回転コネクタ６０(固定側コネクタ部６１)を両保護部材４７,４８から離間した状態で保持する(図７参照)。
【００３７】
また、前記固定側コネクタ部６１の背面６１ｃには、前記表示制御装置１６からの信号線７８を接続する第１接続基板６４が取り付けられている。なお、前記第１接続基板６４のコネクタ受け部６４ａは、前記第１の保護部材４７と第２の保護部材４８とを組付けた際に、両保護部材４７,４８の間に上方に開口するよう画成される開口部４９(図７参照)を介して保護ケース４６の外部に露出し、この開口部４９を介して前記表示制御装置１６からの信号線７８を接続し得るよう構成されている。
【００３８】
(回転側コネクタ部について)
図４または図１０に示すように、前記回転側コネクタ部６８は、前記固定側コネクタ部６１に形成した支持壁６１ａの内側に臨む円盤状に形成されて、固定側コネクタ部６１との対向面側に、前記環状接触部と対応するブラシが形成されている。ここで、前記回転側コネクタ部６８は、前記従動ギア５３と同軸上に位置すると共に、回転側コネクタ部６８の中心位置にはコネクタ受け部６９が設けられており、前記回転軸部５２の配線孔５２ａおよび従動ギア５３の通孔５３ｂを挿通した液晶表示ディスプレイ５０からの信号線７７を、該コネクタ受け部６９に接続するよう構成されている。
【００３９】
また、前記回転側コネクタ部６８の回転中心を挟む位置には、前記従動ギア５３側に突出する突起部７１と、該突起部７１に着脱可能に取り付けられた第２の緩衝部材(緩衝部材)７２とから構成された作用突部(第２作用部)７０が設けられている。この作用突部７０は、前記保護ケース４６内に回転コネクタ６０を収容した際に、前記従動ギア５３に形成した前記一対の作用壁部５４,５５の間に対応的に臨むよう構成される。すなわち、実施例では、一対の作用壁部５４,５５、および一対の作用壁部５４,５５の間に臨む作用突部７０からなる作用機構部７３が２箇所に設けられている。そして、各作用機構部７３において、前記従動ギア５３の回転時に一方の作用壁部５４,５５と作用突部７０とが当接することで、該従動ギア５３に伴って回転側コネクタ部６８が回転しつつ、支持部材５１(液晶表示ディスプレイ５０)が回転するようになっている。このとき、前記支持部材５１(液晶表示ディスプレイ５０)、従動ギア５３および回転側コネクタ部６８の回転方向および回転速度は一致するから、回転側コネクタ部６８と支持部材５１(液晶表示ディスプレイ５０)との相対的な位置関係は変化せず、液晶表示ディスプレイ５０と回転側コネクタ部６８とを接続する信号線７７が捻れることはない。
【００４０】
ここで、前記従動ギア５３に設けた一対の作用壁部５４,５５と、前記回転側コネクタ部６８に設けた作用突部７０との位置関係について、図１１〜図１５を用いて説明する。なお、各作用機構部７３における一対の作用壁部５４,５５と作用突部７０との関係は対応するため、一方の作用機構部７３を例にして説明し、他方の作用機構部７３には同一の符号を付すものとする。各作用機構部７３において、前記作用突部７０の直径は、対応する一対の作用壁部５４,５５の離間間隔より小径に設定されて、従動ギア５３(回転側コネクタ部６８)の回転方向における少なくとも一方向は作用突部７０が作用壁部５４,５４から離間するようになっている。前記従動ギア５３の回転により、第１作用壁部５４の点Ａと作用突部７０の点Ｂとが当接し、第１作用壁部５４で作用突部７０を押圧する場合(第１作用壁部５４と作用突部７０との間に押圧力が作用する場合)には、回転側コネクタ部６８を図１１において右回りに回転させ、第２作用壁部５５の点Ａ’と作用突部７０の点Ｂ’とが当接し、第２作用壁部５５で作用突部７０を押圧する場合(第２作用壁部５５と作用突部７０との間に押圧力が作用する場合)には、回転側コネクタ部６８を図１１において左回りに回転する。
【００４１】
実施例では、図１２に示すように、前記従動ギア５３を停止させて液晶表示ディスプレイ５０を基準位置に保持する状態では、前記一対の作用壁部５４,５５の中間位置に前記作用突部７０が位置して、中心角∠ＡＯＢ＝中心角∠Ａ’ＯＢ’＝７．１度となるよう設定されている。なお、図１２〜図１５においては、理解を容易にするため、中心角∠ＡＯＢおよび∠Ａ’ＯＢ’を誇張するよう描いてある。
【００４２】
ここで、前述のように、前記ステッピングモータ３８を１ステップだけ回転させる毎に前記従動ギア５３が０．７１度ずつ回転するよう設定してあるから、前記従動ギア５３が停止した状態からステッピングモータ３８を１０ステップだけ回転することで、前記第１および第２作用壁部５４,５５が作用突部７０に当接する。すなわち、前記ステッピングモータ３８の駆動時に、前記第１および第２作用壁部５４,５５で作用突部７０を押圧しない方向および範囲(一対の作用壁部５４,５５と作用突部７０との間に押圧力が作用しない範囲)で従動ギア５３が回転する場合(液晶表示ディスプレイ５０が基準位置に位置するよう従動ギア５３が停止した状態から１０ステップ以内でステッピングモータ３８を正逆回転させた場合)には、前記回転側コネクタ部６８は停止したままで支持部材５１(液晶表示ディスプレイ５０)が回転する。一方、前記ステッピングモータ３８の駆動時に、第１作用壁部５４または第２作用壁部５５で作用突部７０を押圧する範囲で従動ギア５３が回転する場合(液晶表示ディスプレイ５０が基準位置に位置するよう従動ギア５３が停止した状態から１０ステップを超えてステッピングモータ３８を一定方向へ回転させた場合)には、支持部材５１(液晶表示ディスプレイ５０)が回転すると共に、従動ギア５３の回転に追従して回転側コネクタ部６８も回転するようになっている。
【００４３】
(制御態様について)
次に、実施例に係るパチンコ機の制御態様につき説明する。前記始動入賞装置１１に入賞したパチンコ球を入賞検知スイッチ１１ａが検知し、その入賞検知信号が前記主制御装置１４に入力されると、図柄変動ゲームを開始させるタイミングにおいて、主制御装置１４が遊技演出の態様を決定する。実施例のパチンコ機に設定された演出態様は、前記液晶表示ディスプレイ５０を停止した状態で図柄変動ゲームを行なう通常演出と、液晶表示ディスプレイ５０で図柄変動ゲームを行ないつつ液晶表示ディスプレイ５０を揺動する第１の特別演出(第１の演出)と、液晶表示ディスプレイ５０で図柄変動ゲームを行ないつつ液晶表示ディスプレイ５０を第１の特別演出より大きく回転させる第２の特別演出(第２の演出)との３種類に大別されて、前記主制御装置１４がこの３種類の演出態様から所定条件下(所定確率)で１つの演出態様を選択するようになっている。
【００４４】
(通常演出について)
前記主制御装置１４が通常演出を選択すると、該主制御装置１４から統括制御装置１５に予め設定された演出パターン(複数設定された演出パターンから所定条件に従って選択される。以下同様。)の制御信号が送信され、統括制御装置１５から表示制御装置１６、ランプ制御装置１８および音制御装置１９に制御信号が送信される。そして、表示制御装置１６が制御信号を受信すると、受信した制御信号に応じたパターンで表示を行なうよう当該液晶表示ディスプレイ５０に信号を送信する。また、前記統括制御装置１５は、表示制御装置１６への制御信号の送信に併せて、前記ランプ制御装置１８や音制御装置１９に対して同じ演出パターンの制御信号を送信し、各制御装置１８,１９が受信した制御信号に応じたパターンで発光演出や効果音演出を行なうよう照明装置１３の点等・消灯およびスピーカ７５の夫々を制御する。なお、前記統括制御装置１５は、前記駆動制御装置１７に対して制御信号を送信しないから、ステッピングモータ３８が駆動して液晶表示ディスプレイ５０が回転することはない。
【００４５】
(第１の特別演出について)
前記主制御装置１４が第１の特別演出を選択すると、該主制御装置１４から統括制御装置１５に制御信号が送信され、統括制御装置１５から表示制御装置１６、駆動制御装置１７、ランプ制御装置１８および音制御装置１９に予め設定された演出パターンの制御信号が送信される。そして、表示制御装置１６が制御信号を受信すると、受信した制御信号に応じたパターンで表示を行なうよう液晶表示ディスプレイ５０に制御信号を送信する。また、前記統括制御装置１５は、表示制御装置１６への制御信号の送信に併せて、前記駆動制御装置１７に対して同じ演出パターンの制御信号を送信し、この制御信号に対応するパターンでステッピングモータ３８が動作するよう駆動制御装置１７が４ｍｓ毎に制御信号を送信する。このとき、前記駆動制御装置１７は、前記一対の作用壁部５４,５５で作用突部７０を押圧しない範囲(一対の作用壁部５４,５５と作用突部７０との間に押圧力が作用しない範囲)で、前記従動ギア５３が回転するようステッピングモータ３８を駆動制御する。
【００４６】
具体的には、前記駆動制御装置１７は、最初の信号受信から１０ステップ以内の任意の初期ステップ数Ｓ(Ｓ≦１０)だけステッピングモータ３８を一方向へ回転させて、例えば図１１または図１２から従動ギア５３を右回りに回転させる。このとき、前記従動ギア５３の回転角度θ１は、θ１≦７．１度となるため、従動ギア５３の回転時に前記第２作用壁部５５で作用突部７０を押圧することはない(図１３参照)。その後、ステッピングモータ３８を反対方向に初期ステップ数Ｓ×２となるステップ数Ｓ２(Ｓ２≦２０)だけ回転させて、従動ギア５３を図１１または図１２の左回りに回転させる。このとき、前記従動ギア５３の回転角度θ２は、θ２≦２×θ１≦(７．１度＋θ１)となるため、従動ギア５３の回転時に前記第１作用壁部５４で作用突部７０を押圧することはない(図１４参照)。
【００４７】
その後は、ステッピングモータ３８のステップ数Ｓが、Ｓ＝２×初期ステップ数Ｓとなる毎に、ステッピングモータ３８の回転方向を反転するよう駆動制御装置１７を駆動制御して、回転角度θ≦２×θ１となるよう前記従動ギア５３の回転方向を変更し、前記一対の作用壁部５４,５５で作用突部７０を押圧しないようになっている。この従動ギア５３の回転方向の変更により、前記第１の特別演出では、前記液晶表示ディスプレイ５０が一定範囲で揺動するようになっている(図１６〜図１８参照)。このように、第１の特別演出では、前記回転側コネクタ部６８を停止させた状態で液晶表示ディスプレイ５０を揺動する動作演出と共に、前記表示制御装置１６の制御に基づいて揺動する液晶表示ディスプレイ５０で図柄変動ゲームを行なう表示演出とが行なわれる。
【００４８】
なお、前記第１の特別演出を終了するに際しては、前記ステッピングモータ３８の回転方向を反転するタイミングにおいて、ステッピングモータ３８を初期ステップ数Ｓ(Ｓ≦１０)回転するよう前記駆動制御装置１７が駆動制御する。これにより、前記液晶表示ディスプレイ５０が基準位置に復帰すると共に、前記一対の作用壁部５４,５５の中間位置に作用突部７０が位置する。
【００４９】
(第２の特別演出について)
前記主制御装置１４が第２の特別演出を選択すると、該主制御装置１４から統括制御装置１５に制御信号が送信され、統括制御装置１５から表示制御装置１６、駆動制御装置１７、ランプ制御装置１８および音制御装置１９に予め設定された演出パターンの制御信号が送信される。そして、表示制御装置１６が制御信号を受信すると、受信した制御信号に応じた表示を行なうよう液晶表示ディスプレイ５０に制御信号を送信する。また、前記統括制御装置１５は、表示制御装置１６への制御信号の送信に併せて、前記駆動制御装置１７に同じ演出パターンの制御信号を送信し、この制御信号に対応するパターンでステッピングモータ３８が動作するよう駆動制御装置１７が４ｍｓ毎に制御信号を送信する。このとき、前記駆動制御装置１７は、前記ステッピングモータ３８に１ステップずつ一方向(右回りあるいは左回り)に回転するよう制御信号を送信する。
【００５０】
具体的には、前記駆動制御装置１７は、最初の信号受信から１０ステップを超えて任意のステップ数Ｓ’(Ｓ’＞１０)だけステッピングモータ３８を一方向へ回転させて、例えば図１１または図１２において従動ギア５３を右回りに回転させる。このとき、前記従動ギア５３の回転角度θ３は、θ３＞７．１度となるため、従動ギア５３の回転時に前記第２作用壁部５５で作用突部７０を押圧する(第２作用壁部５５と作用突部７０との間に押圧力が作用する。図１５参照)。すなわち、第２の特別演出では、前記従動ギア５３の回転に合わせて回転側コネクタ部６８が回転すると共に、前記液晶表示ディスプレイ５０が第１の特別演出より大きく回転する(図１９参照)。このように、第２の特別演出では、前記回転側コネクタ部６８を従動ギア５３と一体的に回転させて液晶表示ディスプレイ５０を前記第１の特別演出時に較べて大きく回転する動作演出と共に、前記表示制御装置１６の制御に基づいて回転する液晶表示ディスプレイ５０で図柄変動ゲームを行なう表示演出が行なわれる。
【００５１】
なお、前記液晶表示ディスプレイ５０を基準位置に停止するに際しては、第１位置検出センサ２５が位置検出片５６の切欠部５６ａを検出してから前記ステッピングモータ３８を１０ステップ回転し、その後ステッピングモータ３８を１０ステップだけ反転するよう前記駆動制御装置１７が駆動制御する。すなわち、前記液晶表示ディスプレイ５０を基準位置に停止する姿勢から前記従動ギア５３が７．１度だけ余分に回転した後に、従動ギア５３が７．１度だけ反対方向へ回転することで、前記一対の作用壁部５４,５５の中間位置に作用突部７０が位置するようになっている。
【００５２】
〔実施例の作用〕
次に、実施例に係るパチンコ機の作用につき説明する。
【００５３】
前記遊技盤１０の遊技領域１１ｂに打ち出されたパチンコ球が前記始動入賞装置１１に入賞して入賞検知スイッチ１１ａが検知すると、入賞検知信号が前記主制御装置１４に入力される。そして、図柄変動ゲームを開始するタイミングにおいて、主制御装置１４が予め設定された条件に従って、通常演出、第１の特別演出、第２の特別演出の内から演出態様を決定する。主制御装置１４により通常演出が選択された場合には、主制御装置１４から統括制御装置１５に制御信号が送信され、統括制御装置１５から表示制御装置１６、ランプ制御装置１８、音制御装置１９に対して同じ演出パターンの制御信号が送信される。そして、表示制御装置１６の制御に基づいて液晶表示ディスプレイ５０で図柄変動ゲームを開始し、液晶表示ディスプレイ５０での演出に適したタイミングでランプ制御装置１８が照明装置１３を点灯・消灯させると共に、音制御装置１９がスピーカ７５から効果音を出力させて演出が行なわれる。このように、前記統括制御装置１５から表示制御装置１６、ランプ制御装置１８、音制御装置１９に対して制御信号を送信することで、液晶表示ディスプレイ５０による表示演出、照明装置１３による発光演出、スピーカ７５による効果音演出を、演出内容に合わせたタイミングで行なうことができる。なお、前記統括制御装置１５は、前記駆動制御装置１７に対して制御信号を送信しないから、液晶表示ディスプレイ５０が回転することはない。
【００５４】
また、前記主制御装置１４により第１の特別演出が選択された場合には、主制御装置１４から統括制御装置１５に制御信号が送信され、統括制御装置１５から表示制御装置１６、駆動制御装置１７、ランプ制御装置１８、音制御装置１９に対して同じ演出パターンの制御信号が送信される。すなわち、第１の特別演出では、通常演出と同様に表示制御装置１６、ランプ制御装置１８および音制御装置１９の制御に基づいて、液晶表示ディスプレイ５０による表示演出や、照明装置１３による発光演出、スピーカ７５による効果音演出が行なわれる。更に第１の特別演出では、これらの演出に加えて駆動制御装置１７の制御に基づいた液晶表示ディスプレイ５０の動作演出が行なわれる。
【００５５】
すなわち、統括制御装置１５から送信される制御信号に基づいて駆動制御装置１７がステッピングモータ３８に４ｍｓ毎に制御信号(パルス信号)を送信して、ステッピングモータ３８を初期ステップ数Ｓだけ回転させて、前記従動ギア５３を回転角度θ１(θ１≦７．１度)だけ回転させる。このとき、従動ギア５３の一対の作用壁部５４,５５で前記回転側コネクタ部６８の作用突部７０を押圧しないから(図１３参照)、回転側コネクタ部６８は従動ギア５３の回転に追従することなく停止状態を維持する。これ以降では、前記駆動制御装置１７は、前記ステッピングモータ３８がステップ数Ｓ＝２×初期ステップ数Ｓ(Ｓ≦１０)だけ回転する毎に回転方向を反転させ、従動ギア５３を回転角度θ２(θ２≦２×θ１≦(７．１度＋θ１)となるよう回転する。すなわち、前記一対の作用壁部５４,５５で作用突部７０を押圧しないから(図１４参照)、回転側コネクタ部６８は従動ギア５３の回転に追従することなく停止状態を維持する。
【００５６】
このように、第１の特別演出では、前記液晶表示ディスプレイ５０を取り付けた前記支持部材５１に従動ギア５３を固定し、この従動ギア５３(ステッピングモータ３８)の回転方向を反転させることで液晶表示ディスプレイ５０を揺動させ得るから、液晶表示ディスプレイ５０での表示による演出に加えて、動作による迫力ある遊技演出を行ない得る。また、一対の作用壁部５４,５５から作用突部７０が離間するよう構成したことで、一対の作用壁部５４,５５で作用突部７０を押圧しない範囲において従動ギア５３を回転することにより、従動ギア５３の回転時であっても回転側コネクタ部６８を停止させておくことができる。すなわち、液晶表示ディスプレイ５０を揺動して演出した場合であっても、固定側コネクタ部６１の環状接触部上の狭い範囲で回転側コネクタ部６８のブラシが摺動しないから、接点(環状接触部およびブラシ)の摩耗による接触不良を防止でき、該回転コネクタ６０の耐久性向上を図り得る。更に、固定側コネクタ部６１の環状接触部上の狭い範囲で回転側コネクタ部６８のブラシが摺動しないから、液晶表示ディスプレイ５０の揺動による演出を遊技に適した頻度で行ない得るから、演出態様の多様化が図られる利点もある。
【００５７】
また、実施例では、駆動手段としてステッピングモータ３８を用いたことで、前記従動ギア５３の回転を正確に制御し得る。すなわち、ステッピングモータ３８のステップ数を制御することで、一対の作用壁部５４,５５で作用突部７０を押圧しない範囲で従動ギア５３を確実に回転させることができ、回転コネクタ６０の接点(環状接触部およびブラシ)の摩耗による接触不良の防止を好適に図り得る利点がある。
【００５８】
また、前記主制御装置１４が第２の特別演出を選択すると、該主制御装置１４から統括制御装置１５に制御信号が送信され、受信した制御信号に応じた演出を行なうよう統括制御装置１５から表示制御装置１６に予め設定された演出パターンの制御信号が送信される。そして、表示制御装置１６が制御信号を受信すると、受信した制御信号に応じたパターンの表示を液晶表示ディスプレイ５０で行なうよう当該液晶表示ディスプレイ５０に信号を送信する。更に、前記統括制御装置１５は、前記表示制御装置１６への制御信号の送信に併せて、前記駆動制御装置１７に同じ演出パターンの制御信号を送信し、表示演出に合わせて前記液晶表示ディスプレイ５０を回転させるよう制御する。
【００５９】
ここで、第２の特別演出では、統括制御装置１５から制御信号を受信すると、前記駆動制御装置１７は、前記ステッピングモータ３８を一方向(右回りあるいは左回り)に回転させるよう４ｍｓ毎に制御信号を送信して、前記従動ギア５３を回転角度θ３(θ３＞７．１度)となるよう回転させる。すなわち、第２の特別演出では、前記液晶表示ディスプレイ５０が第１の特別演出より大きく回転して迫力ある遊技演出が行なわれる。一方で、前記従動ギア５３が７．１度を超えて回転すると、前記一対の作用壁部５４,５５で前記回転側コネクタ部６８の作用突部７０を押圧し、該従動ギア５３の回転に追従するよう回転側コネクタ部６８が回転する。このとき、液晶表示ディスプレイ５０と回転側コネクタ部６８とは、従動ギア５３の回転方向と同一方向に同一速度で回転し、該液晶表示ディスプレイ５０と回転側コネクタ部６８との相対的な位置関係は変化しないから、液晶表示ディスプレイ５０と回転側コネクタ部６８とを接続する信号線７７が捻れることはない。このため、液晶表示ディスプレイ５０を同一方向に連続して任意の回数回転することができ、遊技演出の多様性を図り得る。
【００６０】
このように、実施例のパチンコ機における第１の特別演出および第２の特別演出では、液晶表示ディスプレイ５０を動作させた際における信号線７７の捻れを防止しつつ、回転コネクタ６０の摩耗による接触不良の防止を図り得るから、前記第１の特別演出と第２の特別演出とを任意のタイミング・頻度で選択して行ない得るから、遊技演出の多様性を図り、遊技の興趣の増大を図り得る利点がある。
【００６１】
また、実施例では、前記作用突部７０に第２の緩衝部材７２を設け、該第２の緩衝部材７２が一対の作用壁部５４,５５に接触するよう構成してあるから、作用壁部５４,５５と作用突部７０との接触時の衝撃を抑えることができ、従動ギア５３の回転に合わせて回転側コネクタ部６８をスムーズに回転させることが可能となる。更に、前記作用壁部５４,５５と作用突部７０との接触時の衝撃を抑制することで、接触時に前記固定側コネクタ部６１および回転側コネクタ部６８の接点(環状接触部およびブラシ)に無理な負荷が掛かるのを防止し得るから、該接点(環状接触部およびブラシ)の摩耗や変形等の不具合が生ずるのを防止し得る利点がある。
【００６２】
ここで、実施例のパチンコ機における液晶表示ディスプレイ５０での表示による演出と、液晶表示ディスプレイ５０の動作(揺動や回転)による演出とを組合せた演出態様を例示する。前記主制御装置１４により第１の特別演出が選択された際には、パチンコ機に別途設けたプッシュボタン(図示せず)の操作に応じて大当り発生への期待度を変化させる「期待度パラメータ」を液晶表示ディスプレイ５０に示し(図１６参照)。そして、パチンコ機の前面に設けたプッシュボタン(図示せず)を遊技者が操作と、前記一対の作用壁部５４,５５で作用突部７０を押圧しない範囲で従動ギア５３を回転させて液晶表示ディスプレイ５０を揺動させると共に、「期待度パラメータ」の数値が上昇するよう設定することで、遊技者を積極的に遊技に参加させることができるから、遊技に対する興趣を増大し得る(図１７および図１８参照)。また、前記主制御装置１４により第２の特別演出が選択された場合に大当りが発生する割合を高く設定する(「期待度パラメータ」に表示される数値を高く設定する)ことで、液晶表示ディスプレイ５０が回転することへの期待感が高まり、遊技の興趣の増大が図られる(図１９参照)。すなわち、通常演出とは別に、第１の特別演出と、第２の特別演出とを適宜の確率で出現するよう組合せることで、演出に対する遊技者の興味を惹起し得る。また、本体部２２における支持部材５１の回転方向に等間隔に離間する４箇所に位置検出センサ２５,２６,２７,２８を配設してあるから、第２の特別演出時に、液晶表示ディスプレイ５０が基準位置に対して９０度、１８０度、２７０度回転した位置で停止する演出を行なうこともできる。
【００６３】
なお、前記位置検出センサ２５,２６,２７,２８が位置検出片５６の切欠部５６ａを検出する状態では、前記本体部２２の第１放熱孔２２ｃと、前記支持部材５１の第２放熱孔５７とが整列するから、液晶表示ディスプレイ５０の熱を効率よく外部に放出することができ、熱による異常動作を防止し得る。殊に、パチンコ機の稼働中において、前記液晶表示ディスプレイ５０は基準位置に最も長時間に亘って保持される。従って、液晶表示ディスプレイ５０が基準位置ある状態、すなわち第１位置検出センサ２５が位置検出片５６の切欠部５６ａを検出する状態において前記第１放熱孔２２ｃと第２放熱孔５７とが前後に整列することで、液晶表示ディスプレイ５０の熱を効率よく外部に放出することができ、熱による異常動作を防止し得る。同様に、前記第１および第２の特別演出において液晶表示ディスプレイ５０を動作させた後は発熱量の増加が予想されるものの、第１および第２の特別演出後に液晶表示ディスプレイ５０が基準位置に停止することで、スムーズな放熱ができる。
【００６４】
ところで、第１および第２の特別演出終了後に前記液晶表示ディスプレイ５０を基準位置に停止するに際して、前記第１位置検出センサ２５が位置検出片５６の切欠部５６ａを検出した時点でステッピングモータ３８をそのまま駆動停止すると、前記一対の作用壁部５４,５５の一方に前記作用突部７０が当接した状態となる。具体的には、一対の作用壁部５４,５５の点Ａおよび点Ａ’の何れか一方が、作用突部７０の対応する点Ｂまたは点Ｂ’に当接している。この状態では、回転側コネクタ部６８を停止状態で保持したまま液晶表示ディスプレイ５０を動作させようとした場合に、前記作用突部７０に当接している第１または第２作用壁部５４,５５が該作用突部７０から離間する方向に従動ギア５３を回転させる必要がある。すなわち、液晶表示ディスプレイ５０は、基準位置から一方向に回転した後に反対方向へ回転して基準位置へ復帰し、更にその後回転方向を反転する動作を繰り返す(基準位置が折返し位置となる)ため、液晶表示ディスプレイ５０の動作がアンバランスとなり、遊技者に対して違和感を与えることにもなりかねない。
【００６５】
そこで、実施例では、第１および第２の特別演出終了後に前記液晶表示ディスプレイ５０を基準位置に停止するに際しては、液晶表示ディスプレイ５０が基準位置にある姿勢から従動ギア５３が７．１度だけ余分に回転し、その後従動ギア５３を７．１度だけ反対方向へ回転するよう前記駆動制御装置１７がステッピングモータ３８を制御する。すなわち、前記液晶表示ディスプレイ５０を基準位置に停止させた状態では、前記一対の作用壁部５４,５５の中間位置に前記作用突部７０が位置するから、従動ギア５３を何れの方向に回転したとしても作用壁部５４,５５で作用突部７０を押圧することはない。従って、液晶表示ディスプレイ５０を動作した後に第１の特別演出を行なう場合であっても、基準位置を中心に液晶表示ディスプレイ５０を揺動させることができるから、遊技者に対して違和感を与えることはない。
【００６６】
また、前記液晶表示ディスプレイ５０を動作(回転や揺動)させる際にステッピングモータ３８を駆動すると、駆動時に発生する微振動が回転コネクタ６０に伝播して共振を誘起することも考えられる。ここで、前記回転コネクタ６０の固定側コネクタ部６１には、環状接触部の間に仕切壁が形成されて、回転側コネクタ部６８のブラシが対応する環状接触部にのみ接触するよう構成するのが望ましいことから、回転コネクタ６０が共振することでブラシが仕切壁に接触し、ブラシの変形や仕切壁に摩耗痕の発生が起こりうる。ブラシが変形すると、コネクタ部の回転時に環状接触部からブラシが離間して正常な接点が得られなくなり、その結果、液晶表示ディスプレイ５０に意図しない内容が表示されたり、表示が歪む等の不具合が生ずる虞がある。また、仕切壁に摩耗痕が生ずると、回転側コネクタ部６８の回転時にブラシが引っ掛かってスムーズな回転が阻害され、更には引っ掛かったブラシ部の変形等を招来して正常な接点が得られなくなることも考えられる。
【００６７】
そこで、実施例では、前記固定側コネクタ部６１に設けた取付孔６３,６３,６３に第１の緩衝部材６６,６６,６６を取り付けて、第１の保護部材４７と第２の保護部材４８との組付け時に、両保護部材４７,４８で第１の緩衝部材６６,６６,６６を挟持するよう構成してある。すなわち、回転コネクタ６０(固定側コネクタ部６１)を第１および第２の保護部材４７,４８から離間する状態で保持するから、ステッピングモータ３８の駆動時および停止時に発生する微振動を第１の緩衝部材６６,６６,６６で吸収して回転コネクタ６０に伝播するのを防止し得る。このため、ステッピングモータ３８の駆動時および停止時に発生する微振動に起因して回転コネクタ６０が共振するのを防止し得るから、固定側コネクタ部６１と回転側コネクタ部６８との接点(環状接触部およびブラシ)が損傷することはなく、回転コネクタ６０の耐久性の向上を図り得る。また、前記第１の緩衝部材６６を介在させて第１および第２の保護部材４７,４８から回転コネクタ６０(固定側コネクタ部６１)を離間させることで、前記ステッピングモータ３８の駆動時および停止時の微振動に限らず、パチンコ機へのパチンコ球の供給時や、遊技者がパチンコ機を叩く等した際に発生する振動等のように、パチンコ機に発生する振動を第１の緩衝部材６６で吸収することができる。このように、第１の緩衝部材６６を介して回転コネクタ６０を挟持することで、回転コネクタ６０の振動に対する耐久性を向上させ得る。
【００６８】
なお、前記固定側コネクタ部６１と第１の保護部材４７との間、および前記固定側コネクタ部６１と第２の保護部材４８との間に緩衝部材を個別に配置するよう構成しても、前述した振動から回転コネクタ６０を保護することは可能であるが、組付け作業の煩雑化や部品点数の増加によるコストアップを招来する問題もある。そこで、実施例では、前記各第１の緩衝部材６６を、前記固定側コネクタ部６１の取付孔６３に取り付けた際に、固定側コネクタ部６１の前後に突出するよう構成し、第１および第２の保護部材４７,４８で第１の緩衝部材６６を挟み込むよう構成してあるから、各部材４７,４８,６１の間に個別に配置する構成に較べて、組付け作業の容易化を図り得ると共に、部品点数を低減してコストの低減に寄与し得る。
【００６９】
また、前記固定側コネクタ部６１の取付片部６２,６２には、前記取付孔６３の内方に突出する突状部６２ａを形成すると共に、前記第１の緩衝部材６６には、該突状部６２ａに嵌合する環状凹部６６ｂを形成して、取付孔６３への第１の緩衝部材６６の取付時に、突状部６２ａと環状凹部６６ｂとを嵌合させている。このため、前記第１の緩衝部材６６を取付孔６３内の所定位置に位置決めすることができ、振動によって固定側コネクタ部６１(回転コネクタ６０)が位置ズレして第１および第２の保護部材４７,４８に接触することはないから、各種振動から回転コネクタ６０を確実に保護することができる。
【００７０】
なお、第１の保護部材４７と第２の保護部材４８とを組付けた際に上方に向けて開口する開口部４９に対して、表示制御装置１６からの信号線７８を挿通して固定側コネクタ部６１に接続するよう構成したことで、この開口部４９を第２の保護部材４８の後方へ開口させた場合と較べて回転式表示装置２０の装置全体の前後寸法を小さくすることができる。すなわち、回転式表示装置２０の前後の大きさをコンパクトにすることで、遊技店の設置台にパチンコ機を設置した際に、背面側に隣接するパチンコ機や遊技設備と回転式表示装置２０が干渉するのを防止し得る。
【００７１】
ところで、パチンコ機は、若干の後傾姿勢(すなわち液晶表示ディスプレイ５０の表示面が僅かに上側を向く姿勢)で遊技場に設置されるため、前記回転軸部５２は液晶表示ディスプレイ５０から視ると下方傾斜するよう延在し、液晶表示ディスプレイ５０の自重や、回転時に作用する遠心力等により、液晶表示ディスプレイ５０(支持部材５１)の下方部位が本体部２２に近接する方向に力が作用する。このため、回転軸部５２や第１および第２ベアリング３５,３６に掛かる負荷が増大して、回転軸部５２の摩耗等の損傷が生ずるおそれがある。
【００７２】
そこで、実施例では、前記支持部材５１を本体部２２に回転可能に組付けた際に、該本体部２２に配設した３つの転動部材３０が支持部材５１の背面５１ａに当接して支持するよう構成したから、液晶表示ディスプレイ５０(支持部材５１)が本体部２２側に近接する方向に力が作用しても、転動部材３０で支持部材５１が支持されて、回転軸部５２やベアリング３５,３６に掛かる負荷の軽減を図り得る。また、前記転動部材３０は、前記支持部材５１の回転方向(支持部材５１が描く回転軌跡の接線方向)に回転するよう前記本体部２２に配設してあるから、支持部材５１を回転させた際には、支持部材５１の回転に追従して転動部材３０が回転する。すなわち、支持部材５１の背面５１ａに転動部材３０が当接する状態であっても、該支持部材５１をスムーズに回転させることができ、第１の特別演出や第２の特別演出時における液晶表示ディスプレイ５０の動作(揺動または回転)を阻害することはない。
【００７３】
また、前記転動部材３０は、前記回転軸部５２を中心に等間隔に位置(１２０度ずつ離間する位置)する３箇所に設けてあるから、回転時に支持部材５１にブレが生じた場合でも転動部材３０で確実に支持することができる。殊に、液晶表示ディスプレイ５０の自重や、回転時に作用する遠心力等により支持部材５１の下方部位が本体部２２に近接する方向に力が作用するため、該支持部材５１の下方部位が本体部２２に接触し易い。実施例では、前記回転軸部５２より下方の２箇所に転動部材３０を位置するよう配設してあるから、支持部材５１における回転軸部５２より下方に位置する部位を安定して支持できる。また、前記転動部材３０におけるローラ部３１の外周面に弾性リング３３を取り付けてあるから、転動部材３０に接触しながら回転する支持部材５１を傷つけるのを防止できる。
【００７４】
なお、実施例では、前記転動部材３０は、支軸３２を前記本体部２２に凹設した支持凹部２４に挿入した状態で、支持部材の開口をカバー部材３４で閉成することで回転可能に支持されるから、弾性リング３３に摩耗や劣化等の損傷を来たした場合には、該カバー部材３４を取り外すだけで転動部材３０を容易に交換することができる。また、前記転動部材３０を、ローラ部３１と支軸３２と弾性リング３３とから構成したことで、損傷した部材３１,３２,３３のみを交換することができ、コストや廃棄物の適限を図り得る利点がある。
【００７５】
〔変更例〕
なお、本発明に係る遊技機としては、実施例のものに限られるものではなく、種々の変更が可能である。
【００７６】
例えば、実施例では、回転コネクタの固定側コネクタ部の３箇所に、第１の緩衝部材を配設するようにしたが、４つ以上の第１の緩衝部材を配設することも当然可能である。また、第１の緩衝部材の形状に関しても、実施例のものに限られるものではなく、第１の保護部材と第２の保護部材との間に介在されて回転コネクタを第１および第２の保護部材から離間する状態で保持し得るよう構成すれば、固定側コネクタ部を挟み込むよう設けてもよい。また、前記固定側コネクタ部と第１の保護部材との間、および前記固定側コネクタ部と第２の保護部材との間に第１の緩衝部材を個別に取り付けることも可能である。
【００７７】
実施例では、支持部材の背面に当接するよう転動部材を本体部に配設するよう構成したが、支持部材の停止時には支持部材の背面から離間するよう前記転動部材を設けるようにしてもよい。すなわち、回転軸部と軸受け部材との位置関係が適正な状態では転動部材に支持部材が接触しないよう構成し、動作時(揺動または回転時)に支持部材が傾斜した場合に転動部材で支持部材の背面を支持することで、支持部材の回転に不要な抵抗が発生せず、支持部材をスムーズに回転させることができる。一方、回転時に支持部材が傾斜した場合には、転動部材が支持部材に接触して支持部材を支持するから、回転軸部や軸受け部材に掛かる負荷を軽減し得ると共に、支持部材の回転に合わせて転動部材も回転することで、支持部材の回転を阻害することはない。
【００７８】
実施例では、前記回転軸部を中心とする周方向に等間隔に位置する３箇所に、前記転動部材を配設するよう構成したが、これに限られるものではない。すなわち、１以上の任意数の転動部材を本体部に設けるよう構成すればよく、複数の転動部材を設ける場合であっても、転動部材を等間隔に位置するよう設ける必要はない。ここで、前述のように、遊技盤を配設したパチンコ機は、若干の後傾姿勢(すなわち図柄表示装置の表示面が上側を向く姿勢)で遊技場に設置されるため、前記回転軸部は図柄表示装置から視て下方傾斜している。このため、図柄表示装置の自重や、回転時に作用する遠心力等により、図柄表示装置(支持部材)における回転軸部より下方に位置する部位が本体部側に近接するよう傾斜する。従って、前記転動部材は、前記本体部における回転軸部より下方位置に１つ以上配設すれば、支持部材を転動部材で確実に支持することが可能となる。
【００７９】
また、実施例では、前記転動部材を円筒状に形成すると共に、前記支持部材との接触部位に弾性部材を設けるようにしたが、これに限られるものではなく、弾性部材を設けない構成でとすることも可能である。また、転動部材の形状・構成も実施例のものに限られず、例えば球状に形成してもよく、支持部材が描く回転軌跡の接線方向に回転し得る形状・構成とすれば、実施例と同様の作用効果を得ることができる。
【００８０】
実施例では、第１回転連繋部材に一対の第１作用部を壁面状に設け、該一対の第１の作用部の間に突起状の第２の作用部を臨ませるよう構成したが、これに限られるものではなく、第１回転連繋部材を正逆回転した際に第１作用部と第２の作用部とを当接および離間し得る形状・構成であれば、任意に変更することができる。従って、実施例では第１回転連繋部材に一対の第１作用部を形成し、回転側コネクタ部に第２作用部を形成したが、回転側コネクタ部および第１回転連繋部材の一方に、該回転側コネクタ部(第１回転連繋部材)の回転方向に離間して位置するよう一対の第１作用部を設け、回転側コネクタ部および第１回転連繋部材の他方に、一対の第１作用部の間に臨んで回転側コネクタ部の回転方向少なくとも一方向は第１作用部から離間する第２作用部を設けることも可能である。
【００８１】
また、実施例のように回転側コネクタ部(第１回転連繋部材)の回転方向に離間して位置して一対の第１作用部を設ける構成に限らず、１つの第１作用部を設けるようにしてもよい。この場合にも、実施例と同様に、第１作用部と第２作用部との当接により、図柄表示装置と共に回転する第１回転連繋部材と、回転コネクタの回転側コネクタ部とを一体的に回転させることができるから、図柄表示装置と制御装置とを接続する信号線の捻れを防止できる。一方、前記第１作用部が第２作用部に当接しない方向へ第１回転連繋部材を回転した場合には、第１回転連繋部材の回転に伴って図柄表示装置を回転し得る一方、回転側コネクタ部は回転しないから、回転コネクタにおける固定側コネクタ部と回転側コネクタ部との接触部位の摩耗を防止できる。
【００８２】
また、実施例に示した一対の第１作用部と、該一対の第１作用部の間に臨む第２作用部との位置関係は、一例であって、これに限られるものでないことは言うまでもない。すなわち、実施例では、第１作用部(第１作用壁部５４)の点Ａと、第２作用部(作用突部７０)の点Ｂとがなす中心角∠ＡＯＢ、および第１作用部(第２作用壁部５５)の点Ａ’と、第２作用部(作用突部７０)の点Ｂ’とがなす中心角∠Ａ’ＯＢ’の夫々を、中心角∠ＡＯＢ＝中心角∠Ａ’ＯＢ’＝７．１度となるよう設定したが、これに限られるものでなく、図柄表示装置の揺動よる演出時の回転角度および、回転側コネクタ部を停止させたまま図柄表示装置を回転したときに信号線が許容し得る捻れに応じて、該中心角∠ＡＯＢおよび中心角∠Ａ’ＯＢ’を設定すればよい。すなわち、この中心角∠ＡＯＢや中心角∠Ａ’ＯＢ’を大きくすることで、回転側コネクタ部を停止させたまま図柄表示装置をより大きく揺動させ得る一方で、信号線の捻れが大きくなる。また、実施例では、第１回転連繋部材を停止した状態において、一対の第１作用部の中間位置に第２作用部が位置するよう設定したが、第１回転連繋部材を停止した状態で、一方の第１作用部(例えば第２作用壁部５５)の点Ａ’と第２作用部(作用突部７０)の点Ｂ’とが当接するように、中心角∠ＡＯＢを変更してもよい。
【００８３】
なお、実施例では、第１の演出時(第１の特別演出時)に、一対の第１作用部で第２作用部を押圧しない最大限の範囲(すなわち一対の第１作用部の点Ａおよび点Ａ’が、対応する第２作用部の点Ｂおよび点Ｂ’に当接する範囲以内)で前記第１回転連繋部材が回転するよう構成したが、一対の第１作用部で第２作用部を押圧しない範囲(すなわち一対の第１作用部の点Ａおよび点Ａ’が、対応する第２作用部の点Ｂおよび点Ｂ’に当接しない範囲)で第１回転連繋部材を回転させるようにしてもよい。このように、第１回転連繋部材を回転して一対の第１作用部の間に第２作用部を相対的に移動させた際に、該一対の第１作用部と第２作用部との間に隙間が常に存在するようにすることで、慣性力等により第１回転連繋部材が所定値以上に大きく回転したときであっても第１作用部で第２作用部を押圧するのを防止し得るから、回転コネクタの保護をより確実に行ない得る利点がある。
【００８４】
また、実施例では、駆動手段としてステッピングモータを採用したが、これに限られるものではなく、サーボモータ等の回転角度を制御可能な駆動手段を好適に採用し得る。また、駆動手段としてステッピングモータを採用した場合のステップ角としては、実施例のものに限られるものでなく、必要に応じて変更することができる。
【００８５】
実施例では、第１回転連繋部材(連繋手段)を支持部材の回転軸部に同軸状に取り付けるよう構成したが、これに限られるものではなく、駆動手段の駆動時に支持部材を回転させ得るよう構成すれば、任意の位置に設けることができる。また、第１回転連繋部材および第２回転連繋部材としてギアを採用したが、支持部材を回転させ得る構成であれば、クランク機構や従来公知のリンク機構、その他構成を採用することも可能である。
【００８６】
実施例では、遊技機としてパチンコ機を例にして説明したが、これに限られるものではなく、スロットマシン機やアレンジボール機、雀球機等の遊技機に採用することも可能であり、回転自在に配設された図柄表示装置と、該図柄表示装置を電気的に制御する制御装置とを、回転コネクタを介して電気的に接続するよう構成された遊技機であれば何れの遊技機であってもよい。
【図面の簡単な説明】
【００８７】
【図１】本発明に係るパチンコ機の遊技盤を示す正面図である。
【図２】実施例に係る各制御装置と、制御対象部材との関係を示すブロック図である。
【図３】実施例に係る回転式表示装置の分解斜視図である。
【図４】実施例に係る回転式表示装置を分解した状態を一部断面して概略で示す側面図である。
【図５】実施例に係る本体部を示す正面図である。
【図６】実施例に係る本体部と、転動部材と、第１位置検出センサとの関係を示す要部拡大斜視図である。
【図７】実施例に係る保護ケースを示す斜視図である。
【図８】実施例に係る保護ケースを分解して、第１の保護部材、第２の保護部材、従動ギアおよび回転コネクタ関係を示す斜視図である。
【図９】実施例に係る支持部材と、ステッピングモータとの関係を、背面側から視た状態で示す斜視図である。
【図１０】実施例に係る回転コネクタを示す斜視図であって、第１および第２の緩衝部材を取り外した状態で示す。
【図１１】実施例に係る従動ギアと、回転側コネクタ部との関係を概略で示す背面図である。
【図１２】図１１の要部拡大図であって、従動ギアにおける一対の作用壁部の中間位置に作用突部が位置する状態を示す。
【図１３】図１１の要部拡大図であって、一対の作用壁部で作用突部を押圧しない範囲で従動ギアを一方向へ回転した状態を示す。
【図１４】図１３に示す状態から従動ギアを反対方向へ回転し、一対の作用壁部が作用突部を押圧しない範囲で従動ギアを一方向へ回転した状態を示す。
【図１５】図１１の要部拡大図であって、一対の作用壁部で作用突部を押圧するよう従動ギアを一方向へ回転した状態を示す。
【図１６】実施例に係る液晶表示ディスプレイと、従動ギアと、回転側コネクタ部との関係を概略で示す正面図であって、液晶表示ディスプレイが基準位置にある状態を示す。
【図１７】図１６に示す状態から、一対の作用壁部で作用突部を押圧しない範囲で液晶表示ディスプレイを右回りに回転した状態を示す正面図である。
【図１８】図１７に示す状態から、一対の作用壁部で作用突部を押圧しない範囲で液晶表示ディスプレイを左回りに回転した状態を示す正面図である。
【図１９】図１６に示す状態から、第１作用壁部で作用突部を押圧して液晶表示ディスプレイを右回りに回転させた状態を示す正面図である。
【符号の説明】
【００８８】
１６  表示制御装置(制御装置)
２２  本体部
３０  転動部材
３３  弾性リング(弾性部材)
３５  第１ベアリング(軸受け部材)
３６  第２ベアリング(軸受け部材)
３８  ステッピングモータ(駆動手段)
５０  液晶表示ディスプレイ(図柄表示装置)
５１  支持部材
５１ａ  背面
５２  回転軸部
６０  回転コネクタ
【図１】
2007330485.tif 000003
【図２】
2007330485.tif 000004
【図３】
2007330485.tif 000005
【図４】
2007330485.tif 000006
【図５】
2007330485.tif 000007
【図６】
2007330485.tif 000008
【図７】
2007330485.tif 000009
【図８】
2007330485.tif 000010
【図９】
2007330485.tif 000011
【図１０】
2007330485.tif 000012
【図１１】
2007330485.tif 000013
【図１２】
2007330485.tif 000014
【図１３】
2007330485.tif 000015
【図１４】
2007330485.tif 000016
【図１５】
2007330485.tif 000017
【図１６】
2007330485.tif 000018
【図１７】
2007330485.tif 000019
【図１８】
2007330485.tif 000020
【図１９】
2007330485.tif 000021